(57)【要約】【課題】従来のテレビに特性において類似する低減型カラーガモットを利用する視聴モードを提供すること。【解決手段】テレビのディスプレイスクリーン上で入力ビデオ信号を視聴する方法であって、入力ビデオ信号を受信するステップと、該入力ビデオ信号のそれぞれのピクセルのカラー座標を、該テレビに対する選択されたカラーガモット内のカラー座標値にマッピングするステップであって、該選択されたカラーガモットは、該テレビのフルカラーガモットおよび該テレビの低減型カラーガモットのうちの１つである、ステップと、該テレビの該ディスプレイスクリーン上に該カラーガモットにマッピングされた入力ビデオ信号を表示するステップとを包含する、方法。【選択図】図１
2010057181.tif 000002
【特許請求の範囲】
【請求項１】
テレビのディスプレイスクリーン上で入力ビデオ信号を視聴するプロセスであって、
入力ビデオ信号を受信するステップと、
該入力ビデオ信号のそれぞれのピクセルのカラー座標を、該テレビに対する選択されたカラーガモット内のカラー座標値にマッピングするステップであって、該選択されたカラーガモットは、該テレビのフルカラーガモットおよび該テレビの低減型カラーガモットのうちの１つである、ステップと、
該テレビの該ディスプレイスクリーン上に該カラーガモットにマッピングされた入力ビデオ信号を表示するステップと
を包含する、プロセス。
【請求項２】
フルカラーガモット視聴と低減型カラーガモット視聴との間で選択することをユーザに促すステップをさらに包含する、請求項１に記載のプロセス。
【請求項３】
視聴アクティビティを選択することをユーザに促すステップをさらに包含し、前記フルカラーガモット視聴と低減型カラーガモット視聴との間で選択することをユーザに促すステップは、該選択された視聴アクティビティに対してフルカラーガモット視聴と低減型カラーガモット視聴との間で選択することを該ユーザに促すことを含む、請求項２に記載のプロセス。
【請求項４】
前記選択されたカラーガモット視聴モードを前記選択された視聴アクティビティに割り当てるステップをさらに包含する、請求項３に記載のプロセス。
【請求項５】
ユーザ選択された視聴アクティビティを開始するために命令を受信するステップと、
前記入力ビデオ信号のそれぞれのピクセルの前記カラー座標を、該視聴アクティビティに対する選択されたカラーガモット内のカラー座標値にマッピングするステップと
をさらに包含する、請求項４に記載のプロセス。
【請求項６】
前記テレビはレーザ光源を含む、請求項１に記載のプロセス。
【請求項７】
テレビのディスプレイスクリーン上で入力ビデオ信号を視聴するプロセスであって、
ユーザ選択された視聴アクティビティを開始するために命令を受信するステップと、
入力ビデオ信号を受信するステップと、
該入力ビデオ信号のそれぞれのピクセルのカラー座標を、該視聴アクティビティに割り当てられたカラーガモット内のカラー座標値にマッピングするステップであって、該割り当てられたカラーガモットは、該テレビのフルカラーガモットおよび該テレビの低減型カラーガモットのうちの１つである、ステップと
を包含する、プロセス。
【請求項８】
カラーガモット視聴モードを、複数の視聴アクティビティのそれぞれに割り当てるステップをさらに包含する、請求項７に記載のプロセス。
【請求項９】
前記カラーガモット視聴モードを、複数の視聴アクティビティのそれぞれに割り当てるステップは、
視聴アクティビティを選択することをユーザに促すステップと、
該選択された視聴アクティビティに対してフルカラーガモット視聴と低減型カラーガモット視聴との間で選択することをユーザに促すステップと
を包含する、請求項８に記載のプロセス。
【請求項１０】
前記テレビはレーザ光源を含む、請求項７に記載のプロセス。
【請求項１１】
ビデオディスプレイスクリーンと、
画像ディスプレイエンジンと、
該画像ディスプレイエンジンに連結された制御システムと、
該制御システムおよび該画像ディスプレイエンジンに連結されたレーザ光源と
を備え、
該制御システムは、カラー信号処理モジュールを含み、該カラー信号モジュールは、該入力ビデオ信号のそれぞれのピクセルのカラー座標を、ユーザによって選択可能な該テレビのカラーガモット内のカラー座標値にマッピングする、テレビ。
【請求項１２】
マイクロプロセッサと、該マイクロプロセッサに連結されたオンスクリーンディスプレイ（ＯＳＤ）コントローラとを含み、前記画像ディスプレイエンジンは、該ＯＳＤコントローラおよび前記ディスプレイスクリーンに連結される、請求項１１に記載のテレビ。
【請求項１３】
前記制御システムは、メニューベースのユーザインタフェースを含み、該メニューベースのユーザインタフェースは、フルカラーガモット視聴と低減型カラーガモット視聴との間で選択することをユーザに促すように構成される、請求項１１に記載のテレビ。
【請求項１４】
前記制御システムは、メニューベースのユーザインタフェースを含み、該メニューベースのユーザインタフェースは、視聴アクティビティを選択することをユーザに促すように構成される、請求項１１に記載のテレビ。
【請求項１５】
前記メニューベースのユーザインタフェースは、前記選択された視聴アクティビティに対し、フルカラーガモット視聴と低減型カラーガモット視聴との間で選択することをユーザに促すように構成される、請求項１４に記載のテレビ。
【請求項１６】
前記制御システムは、メニューベースのユーザインタフェースを含み、該メニューベースのユーザインタフェースは、フルカラーガモット視聴と低減型カラーガモット視聴との間で選択することをユーザに促すように構成される、請求項８に記載のテレビ。
【発明の詳細な説明】
【技術分野】
【０００１】
（分野）
本明細書に記載される実施形態は、概して、レーザ光源ベースのテレビのためのカラー信号処理に関し、より具体的には、レーザ光源ベースのテレビのためのユーザ選択可能で、アクティビティ割り当て可能な低減型カラーガモット（ｇａｍｕｔ）視聴モードを容易にするシステムおよび方法に関する。
【背景技術】
【０００２】
（背景情報）
テレビは、典型的に、３原色、すなわち赤、緑および青を用い、この３原色がＲＧＢカラースペースを規定する。ＲＧＢカラースペースを用いることに加え、テレビは、典型的に特定のカラーガモットを用いる。カラースペースが複数の色（すなわち色間の関係）を規定するが、カラーガモットは、これらの原色を混合することによって、再生され得る色の可能性の範囲を表す。レーザ光源を利用するテレビは、レーザ光源の特性に起因して、従来のテレビよりも有意に大きなレーザカラーガモットを有する。より大きなカラーガモットのレーザベースのテレビは、より多種の色を示すか、またはディスプレイスクリーン上により「ブリリアント」なカラーを再生するために使用され得るが、ユーザは、従来のテレビのカラーガモットを好み得る。従って、従来のテレビに特性において類似する低減型カラーガモットを利用する視聴モードを提供することが望ましい。
【発明の概要】
【課題を解決するための手段】
【０００３】
（概要）
本明細書において提供される実施形態は、低減型ガモット視聴モードを容易にするシステムおよび方法に関し、より具体的には、レーザ光源ベースのテレビのための、ユーザ選択可能で、アクティビティ割り当て可能な低減型カラーガモット視聴モードに関する。一実施形態において、テレビは、制御システムに結合されたビデオディスプレイスクリーンを含む。制御システムは、マイクロプロセッサと、システム制御ソフトウェアが格納される不揮発性メモリと、マイクロプロセッサおよびビデオ信号入力接続に結合されたオンスクリーンディスプレイ（ＯＳＤ）コントローラと、ＯＳＤコントローラおよびディスプレイスクリーンに結合された画像ディスプレイエンジンと、マイクロプロセッサおよび画像ディスプレイエンジンに結合されたレーザ光源とを含む。マイクロプロセッサは、入力ビデオ信号の各ピクセルのカラー座標をテレビの選択されたカラーガモット内のカラー座標値にマッピングするカラー信号処理モジュールまたは装置を含む。
【０００４】
別の実施形態において、個別のカラーガモット設定が、所与のアクティビティに対する好適な視聴経験のためにそれぞれのアクティビティごとに保存され得る。例えば、ゲームおよび映画の能力を提供する組み合わせデバイス（例えば、Ｐｌａｙｓｔａｔｉｏｎ  ３、ＸＢＯＸ３６０およびその他）のユーザは、それぞれのアクティビティ（例えば、「ゲームをプレイする」および「映画を見る」）に対する別々のカラーガモット設定を有し得る。
【０００５】
例示的な実施形態の他のシステム、方法、特徴および利点が、以下の図面および詳細な説明を調べる際に、当業者に明らかであるか、または明らかになる。
【０００６】
例えば、本発明は以下の項目を提供する。
（項目１）
テレビのディスプレイスクリーン上で入力ビデオ信号を視聴するプロセスであって、
入力ビデオ信号を受信するステップと、
該入力ビデオ信号のそれぞれのピクセルのカラー座標を、該テレビに対する選択されたカラーガモット内のカラー座標値にマッピングするステップであって、該選択されたカラーガモットは、該テレビのフルカラーガモットおよび該テレビの低減型カラーガモットのうちの１つである、ステップと、
該テレビの該ディスプレイスクリーン上に該カラーガモットにマッピングされた入力ビデオ信号を表示するステップと
を包含する、プロセス。
（項目２）
フルカラーガモット視聴と低減型カラーガモット視聴との間で選択することをユーザに促すステップをさらに包含する、上記項目に記載のプロセス。
（項目３）
視聴アクティビティを選択することをユーザに促すステップをさらに包含し、上記フルカラーガモット視聴と低減型カラーガモット視聴との間で選択することをユーザに促すステップは、該選択された視聴アクティビティに対してフルカラーガモット視聴と低減型カラーガモット視聴との間で選択することを該ユーザに促すことを含む、上記項目のいずれかに記載のプロセス。
（項目４）
上記選択されたカラーガモット視聴モードを上記選択された視聴アクティビティに割り当てるステップをさらに包含する、上記項目のいずれかに記載のプロセス。
（項目５）
ユーザ選択された視聴アクティビティを開始するために命令を受信するステップと、
上記入力ビデオ信号のそれぞれのピクセルの上記カラー座標を、該視聴アクティビティに対する選択されたカラーガモット内のカラー座標値にマッピングするステップと
をさらに包含する、上記項目のいずれかに記載のプロセス。
（項目６）
上記テレビはレーザ光源を含む、上記項目のいずれかに記載のプロセス。
（項目７）
テレビのディスプレイスクリーン上で入力ビデオ信号を視聴するプロセスであって、
ユーザ選択された視聴アクティビティを開始するために命令を受信するステップと、
入力ビデオ信号を受信するステップと、
該入力ビデオ信号のそれぞれのピクセルのカラー座標を、該視聴アクティビティに割り当てられたカラーガモット内のカラー座標値にマッピングするステップであって、該割り当てられたカラーガモットは、該テレビのフルカラーガモットおよび該テレビの低減型カラーガモットのうちの１つである、ステップと
を包含する、プロセス。
（項目８）
カラーガモット視聴モードを、複数の視聴アクティビティのそれぞれに割り当てるステップをさらに包含する、上記項目のいずれかに記載のプロセス。
（項目９）
上記カラーガモット視聴モードを、複数の視聴アクティビティのそれぞれに割り当てるステップは、
視聴アクティビティを選択することをユーザに促すステップと、
該選択された視聴アクティビティに対してフルカラーガモット視聴と低減型カラーガモット視聴との間で選択することをユーザに促すステップと
を包含する、上記項目のいずれかに記載のプロセス。
（項目１０）
上記テレビはレーザ光源を含む、上記項目のいずれかに記載のプロセス。
（項目１１）
ビデオディスプレイスクリーンと、
画像ディスプレイエンジンと、
該画像ディスプレイエンジンに連結された制御システムと、
該制御システムおよび該画像ディスプレイエンジンに連結されたレーザ光源と
を備え、
該制御システムは、カラー信号処理モジュールを含み、該カラー信号モジュールは、該入力ビデオ信号のそれぞれのピクセルのカラー座標を、ユーザによって選択可能な該テレビのカラーガモット内のカラー座標値にマッピングする、テレビ。
（項目１２）
マイクロプロセッサと、該マイクロプロセッサに連結されたオンスクリーンディスプレイ（ＯＳＤ）コントローラとを含み、上記画像ディスプレイエンジンは、該ＯＳＤコントローラおよび上記ディスプレイスクリーンに連結される、上記項目に記載のテレビ。
（項目１３）
上記制御システムは、メニューベースのユーザインタフェースを含み、該メニューベースのユーザインタフェースは、フルカラーガモット視聴と低減型カラーガモット視聴との間で選択することをユーザに促すように構成される、上記項目のいずれかに記載のテレビ。
（項目１４）
上記制御システムは、メニューベースのユーザインタフェースを含み、該メニューベースのユーザインタフェースは、視聴アクティビティを選択することをユーザに促すように構成される、上記項目のいずれかに記載のテレビ。
（項目１５）
上記メニューベースのユーザインタフェースは、上記選択された視聴アクティビティに対し、フルカラーガモット視聴と低減型カラーガモット視聴との間で選択することをユーザに促すように構成される、上記項目のいずれかに記載のテレビ。
（項目１６）
上記制御システムは、メニューベースのユーザインタフェースを含み、該メニューベースのユーザインタフェースは、フルカラーガモット視聴と低減型カラーガモット視聴との間で選択することをユーザに促すように構成される、上記項目のいずれかに記載のテレビ。
【０００７】
（摘要）
低減型カラーガモット視聴モードを容易にするシステムおよび方法、より具体的には、
レーザ光源ベースのテレビのためのユーザ選択可能で、アクティビティ割り当て可能な低減型カラーガモット視聴モード。
【図面の簡単な説明】
【０００８】
製造、構築および動作を含む例示的な実施形態の詳細が、添付の図面の調査によって部分的に収集され得、図面において、同様の参照番号は同様の部品を示す。図面中の構成要素は、必ずしも縮尺が合わせられておらず、代わりに、本発明の原理を示す際に強調が行われている。さらに、全ての図面は、概念を伝えることを意図されており、相対的な大きさ、形状および他の詳細な属性は、文字通りまたは正確にではなく、概略的に描かれ得る。
【図１】図１は、一体化サウンドプロジェクタおよび制御システムを有するレーザ光源ベースのテレビの概略図である。
【図２】図２は、レーザ光源ベースのテレビの動作の代替的なモードのためのカラーガモットを示す図形表現である。
【図３Ａ】図３Ａおよび図３Ｂは、入力カラー信号のテレビのカラーガモットへのマッピングを示す図形表現である。
【図３Ｂ】図３Ａおよび図３Ｂは、入力カラー信号のテレビのカラーガモットへのマッピングを示す図形表現である。
【図４】図４は、カラーオプションドロップダウンメニューが表示された、テレビのスクリーン上に表示されたグラフィカルユーザインタフェースベースのメニューを描く。
【図５】図５は、アクティビティドロップダウンメニューが表示された、テレビのスクリーン上に表示されたグラフィカルユーザインタフェースベースのメニューを描く。
【図６Ａ】図６Ａおよび図６Ｂは、グラフィカルユーザインターフェースにおいて代替的なアクティビティ選択メニューを示すテレビスクリーンの概略図である。
【図６Ｂ】図６Ａおよび図６Ｂは、グラフィカルユーザインターフェースにおいて代替的なアクティビティ選択メニューを示すテレビスクリーンの概略図である。
【発明を実施するための形態】
【０００９】
類似の構造または機能の要素が、図面全体にわたって例示の目的で、概して、同様の参照番号によって表されていることに留意されたい。図面が好適な実施形態の説明を容易にすることのみを意図されていることに留意されたい。
【００１０】
（詳細な説明）
本明細書に記載されるシステムおよび方法は、ユーザ選択可能で、アクティビティ割り当て可能な低減型カラーガモットモード視聴オプションを有するレーザ光源ベースのテレビに関する。より具体的には、本明細書に記載される実施形態において提供されるように、テレビは、グラフィカルユーザインターフェースを介して、ユーザによってナビゲート可能なメニューベースの制御システムを含み、ここで、ユーザは代替的なカラーガモット視聴モードを選択し得る。テレビは、代替的なカラーガモット視聴モードを異なるアクティビティ（例えば、「映画を見る」、「スポーツを見る」「ゲームをプレイする」など）に割り当てるように設定またはプログラムされ得る。
【００１１】
図面を詳細に参照すると、図１は、テレビ１０の一実施形態の概略図を描く。テレビ１０は、好適には、制御システム１２に結合された、ビデオディスプレイスクリーン３０とＩＲ信号受信器２４とを備える。制御システム１２は、好適には、マイクロプロセッサ２０と、システムソフトウェアが格納される不揮発性メモリ２２と、マイクロプロセッサ２０に結合されたオンスクリーンディスプレイ（ＯＳＤ）コントローラ１４と、ＯＳＤコントローラ１４およびディスプレイスクリーン３０に結合された画像ディスプレイエンジン１６と、マイクロプロセッサ２０および画像ディスプレイエンジン１６に結合されたレーザ光源１８とを含む。マイクロプロセッサ２０は、好適には、カラー信号処理装置またはモジュールを含み、該カラー信号処理装置またはモジュールは、システムソフトウェア内に含まれるソフトウェアモジュールを含み得、該ソフトウェアモジュールは、入力ビデオ信号の各ピクセルのカラー座標を、テレビ１０のカラーガモット内のカラー座標値にマッピングする。
【００１２】
システムソフトウェアは、好適には、マイクロプロセッサ２０上で実行可能な一組の目命令を備え、該一組の命令は、テレビ１０の設定、動作および制御をイネーブルする。システムソフトウェアは、メニューベースの制御システムを提供し、該メニューベースの制御システムは、テレビディスプレイ３０上でユーザに表示または提示されているグラフィカルユーザインターフェースを介してユーザによってナビゲート可能である。テレビの遠隔制御ユニットのテレビレイヤ上にあるが、ユーザは、テレビ１０およびテレビ１０に結合された外部ＡＶ入力デバイス（例えば、ＤＶＤ、ＶＣＲ、ケーブルボックスなど）を設定、動作、および制御するように、グラフィカルユーザインターフェースをナビゲートし得る。グラフィカルユーザインターフェースベースのメニュー制御システムおよびその動作の詳細な議論は、米国特許出願公開第２００２−０１７１６２４  Ａ１において提供され、該特許出願公開は本明細書において参照により援用される。‘６２４出願は、メニューベース制御システム、および、テレビに連結され、グラフィカルユーザインターフェースを有するメニューベースの制御システムを用いて制御されるオーディオビデオコンポーネントの集中制御に関するその動作を記載する。
【００１３】
動作中、テレビ１０のスクリーン３０上に表示可能で、マイクロプロセッサ２０上で実行されるシステムソフトウェアによって生成されたメニューシステムおよびグラフィカルユーザインターフェース５１（図４参照）を用いるユーザは、「ブリリアント」、「ナチュラル」などを含む、動作のさまざまなカラーガモット視聴モードの間で選択し得る。グラフィカルユーザインターフェースベースのメニューシステムを用いることは、ユーザは、また、代替的なカラーガモット視聴モードを生成し得る。
【００１４】
図２を参照すると、フル（「ブリリアント」）カラーガモット１００および低減型（「ナチュラル」）カラーガモット２００を含む、テレビ１０の２つのカラーガモットが描かれる。フルカラーガモット１００は、カラー座標ＲＬＧＬＢＬの間に広がり、レーザ光源１８の特性に対応する。低減型カラーガモット２００は、カラー座標ＲＮＧＮＢＮの間に広がる。カラー座標ＲＮＧＮＢＮは、図３Ａおよび図３Ｂにおいて描かれるように、カラー座標ＲＬＧＬＢＬから低減されるか、または調整される。
【００１５】
出力カラーガモットを規定するカラー座標ＲＯＧＯＢＯは、以下のように計算される。
ＲＯ＝Ｒｉ＋（ａ＊Ｒ＋ｂ＊Ｇ＋ｃ＊Ｂ）                  （１．０）
ＧＯ＝Ｇｉ＋（ａ＊Ｒ＋ｂ＊Ｇ＋ｃ＊Ｂ）                  （２．０）
ＢＯ＝Ｂｉ＋（ａ＊Ｒ＋ｂ＊Ｇ＋ｃ＊Ｂ）                  （３．０）
ここで、ＲＯ＝赤の出力であり、Ｒｉ＝赤の入力であり、ＧＯ＝緑の出力であり、Ｇｉ＝緑の入力であり、ＢＯ＝青の出力であり、Ｂｉ＝青の入力である。ａ＝ｂ＝ｃ＝０の場合、ＲＯ＝Ｒｉ、ＧＯ＝Ｇｉ、ＢＯ＝Ｂｉである。図３Ａに示されるような場合には、赤色を白の点Ｗに向けてシフトさせるために、ｂおよびｃを増加する。青色および緑色を白の点Ｗに向けてシフトさせるためには、それぞれ、ａおよびｂを増加し、ａおよびｃを増加する。
【００１６】
図４、図５、図６Ａおよび図６Ｂを参照すると、テレビのグラフィカルユーザインターフェースベースのマルチレイヤメニューシステムを用いて、カラーガモット視聴モードを構成または選択することが議論される。テレビ１０上の制御パネルの上または遠隔制御ユニット上のメニューキーを押すと、ユーザに、好適にはスクリーン３０の左側に沿ってシステム構成メニュー５０が提示される。構成メニュー５０は、好適には、選択可能なグラフィカルアイコンを備え、該グラフィカルアイコンは、ユーザが構成可能な機能および／またはデバイス（例えば、ＡＶデバイス５０、キャプション５４、「アウトオブボックス」システム設定５５、入力デバイス５６およびセキュリティシステム５８）に対応するメニューオプションを表す。ユーザはまた、ナビゲーション機能（例えば、「選択」８２、「移動」８３、「戻る」８４および「ヘルプ」８５）を達成するためにはどのキーを遠隔制御上で押すかを示す、ナビゲーションキーまたはガイドが提示される。ＡＶデバイス５２のメニューオプションの周りのグレーのシェーディングを用いて描かれるような、ハイライトが、メニュー内の位置および選択されたメニュー項目を示すために用いられる。
【００１７】
システム構成メニュー５０内のＡＶデバイス５２のメニューオプションを選択すると、デバイス構成メニュー６０は、好適には、スクリーン３０の上部に沿って表示される。デバイス構成メニュー６０は、好適には、機能（例えば、視聴アクティビティ６１、ビデオ６２、オーディオ６４、リセット６５、ピクチャカラー６６、インターネット６７、サウンドプロジェクション６８など）に対応するメニューオプションを表す選択可能なグラフィカルアイコンを含む。
【００１８】
図４に描かれているように、ユーザはＡＶデバイス構成メニュー６０内のカラーアイコン６６を選択することによって、動作のカラーガモットモードを選択し得る。カラーアイコン６６が選択されたとき、カラーガモットモード選択ドロップダウンメニュー６６Ａなどが表示され、ユーザが動作の所望のカラーガモットモードを選択するように促す。「ブリリアント」モードが選択された場合、テレビの制御システムは、レーザ光源の特性に対応するテレビのフルカラーガモットを用いてディスプレイスクリーン上に画像を表示させる。しかしながら、「ナチュラル」モードが選択された場合、テレビの制御システムは、従来のテレビに対するカラーガモットの特性に対応する低減型カラーガモットを用いて、ディスプレイスクリーン上に画像を表示させる。「カスタム」モードを選択することによって、ユーザは、カラーガモットの原色を調整して、制御システムがディスプレイスクリーン上に画像を表示するために使用するカスタム化したカラーを作成することが可能である。
【００１９】
別の実施形態において、好適なカラーガモット設定は、さまざまな視聴経験またはアクティビティに割り当てられ得、保存され得る。例えば、「ニュースを見る」、「映画を見る」、「スポーツを見る」、「ゲームをプレイする」などのアクティビティがある。図５に描かれているように、ユーザは、ＡＶデバイス構成メニュー６０内のアクティビティアイコン６１を選択することによって、動作のカラーガモットモードを特定のアクティビティに割り当て得る。アクティビティアイコン６１が選択されたとき、アクティビティ選択ドロップダウンメニュー６１Ａなどが表示され、所望のアクティビティを選択することをユーザに促す。例えば、「映画を見る」が選択された場合、アクティビティ構成ドロップダウンメニュー６１Ｂなどが表示され、選択されたアクティビティを構成するために、視聴オプションまたは聴取オプションを選択することをユーザに促す。カラーオプションが選択された場合、カラーガモットモード選択ドロップダウンメニュー６１Ｃなどが表示され、メモリ内に格納され、選択されたアクティビティに割り当てられる動作のカラーガモットモードを選択することをユーザに促す。「ブリリアント」モードが選択された場合、テレビ上の制御システムは、レーザ光源の特性に対応するテレビのフルカラーガモットを用いてディスプレイスクリーン上に画像を表示させる。しかしながら、「ナチュラル」モードが選択された場合、テレビの制御システムは、従来のテレビのカラーガモットの特性に対応する低減型カラーガモットを用いて、ディスプレイスクリーン上に画像を表示させる。「カスタム」モードを選択することによって、ユーザは、カラーガモットの原色を調整して、制御システムがディスプレイスクリーン上に画像を表示するために用いる、カスタム化したカラーガモットを作成する。
【００２０】
このような視聴アクティビティは、テレビまたは遠隔制御上の制御パネル上で専用のアクティビティまたはタスクキーを選択することによって、図６Ａおよび図６Ｂにおいて描かれるように、テレビのディスプレイスクリーン２４上または遠隔制御ディスプレイスクリーン上のアクティビティメニュー４６上に提示され得る。特定のアクティビティが選択されたとき、テレビの制御システムは、その特定のアクティビティに割り当てられたカラーガモットを用いて、ディスプレイスクリーン上に画像を表示させる。好適には、特定のアクティビティを選択することによって、テレビおよび特定のアクティビティに関連する接続されたデバイス（例えば、映画を見るためのＤＶＤ）は、自動的にオンになり、選択されたアクティビティに対する好適な接続および設定を実装する。例えば、「映画を見る」が選択された場合には、以下の動作が起こる。
１．Ｂｌｕｅｒａｙプレーヤの電源がオンになる。
２．テレビがオンになり、Ｂｌｕｅｒａｙプレーヤが入力ソースとして選択される。
３．映画ビデオ設定（例えば、カラーガモットモード）が適用される。
４．ＡＶＲがサラウンドモードに切り替えられる。
５．音量がミュート解除される（ｄｅｍｕｔｅｄ）。
【００２１】
動作のカラーガモットを保存し、特定のアクティビティに割り当てることは、マルチモードデバイス（メディアセンターＰＣ、Ｐｌａｙｓｔａｔｉｏｎ  ３、ＸＢＯＸ３６０など）が存在し、ゲームをプレイすること、映画を見ること、写真を閲覧することなどを行うために使用され得、かつユーザがアクティビティモード（すなわち、「ゲームをプレイする」、「映画を見る」など）ごとに異なるアクティビティプリファランスを設定することを望む場合に特に有用である。メディアセンターＰＣが３Ｄゲームをプレイするように選択される（アクティビティメニュー内の「ゲームをプレイする」が選択される）場合、利用可能である場合、テレビは好適には３Ｄモード設定になる。メディアセンターＰＣがＢｌｕＲａｙ映画を再生するために使用される（アクティビティメニュー内の「映画を見る」が選択される）場合、テレビは、その映画を見る設定を実装し、この例においては３Ｄ設定をディセーブルする。従って、ゲームの能力および映画の能力を提供する組み合わせデバイス（Ｐｌａｙｓｔａｔｉｏｎ  ３、ＸＢＯＸ３６０およびその他）のユーザは、それぞれのアクティビティ「ゲームを再生する」および「映画を見る」に対する別々の最適なカラーモード設定を有し得る。
【００２２】
前述の明細書において、本発明は、本発明の特定の実施形態を参照して記載されてきた。しかしながら、本発明の広義の精神および範囲から逸脱することなしに、さまざまな修正および変更が本発明になされ得ることは明らかである。例えば、読み手は、本明細書に説明されるプロセス流れ図において示されるプロセス動作の特定の順序および組み合わせは、他に明示されない限りは、単なる例示であり、本発明は、異なるプロセス動作または追加のプロセス動作、あるいは異なるプロセス動作の組み合わせまたは異なるプロセス動作の順序を用いて行われ得ることを理解するべきである。別の例として、一実施形態のそれぞれの特徴が他の実施形態に示された他の特徴と混合され得、適合され得る。当業者に公知の特徴およびプロセスは、必要に応じて同様に組み込まれ得る。さらに、かつ明確に、特徴は、必要に応じて加えられたり、取り除かれたりし得る。さらに、本発明は、添付の特許請求の範囲およびそれらの均等物を考慮することを除いて、限定されるべきではない。
【符号の説明】
【００２３】
１０  テレビ
１２  制御システム
１４  オンスクリーンディスプレイ（ＯＳＤ）コントローラ
１６  画像ディスプレイエンジン
１８  レーザ光源
２０  マイクロプロセッサ
２２  不揮発性メモリ
２４  ＩＲ信号受信器
３０  ビデオディスプレイスクリーン
【図１】
2010057181.tif 000003
【図２】
2010057181.tif 000004
【図３Ａ】
2010057181.tif 000005
【図３Ｂ】
2010057181.tif 000006
【図４】
2010057181.tif 000007
【図５】
2010057181.tif 000008
【図６Ａ】
2010057181.tif 000009
【図６Ｂ】
2010057181.tif 000010